(57)【要約】  【課題】視認不能に隠蔽して備えた磁石の位置を推測する指標となる痕跡を残すことなく、且つ磁石に吸着されて誘導される遊技球の斬新な態様を提供可能とする。  【解決手段】遊技球移送装置４０は、外側に磁石４２を備えて所定の動作可能な可動部材としての回転体４１と、磁石４２を外部から視認不能として回転体４１の所定の動作とは同期しないように動作する又は静止する遮蔽部材としてのカバー体４５を備え、磁石４２はカバー体４５を介して遊技球１０を吸着して移送する。【選択図】    図５
2012231890.tif 000002
【特許請求の範囲】
【請求項１】
所定の動作可能な可動部材に設けられた磁石によって遊技領域を流下する遊技球を吸着して、前記可動部材の変位に伴って遊技球を移送する遊技球移送装置を備えた遊技機において、
前記遊技球移送装置は、前記可動部材の外側に設けられて前記磁石を外部から視認不能に遮蔽すると共に、該遮蔽した磁石により遊技球を外側面に吸着可能な遮蔽部材を備え、
該遮蔽部材は、前記可動部材の所定の動作とは同期しないことを特徴とする遊技機。
【請求項２】
請求項１に記載の遊技機において、
遊技球が入賞不能な閉止状態と入賞可能な開放状態に変化可能な大入賞口と、
遊技球が入賞したことに基づいて所定回数だけ前記大入賞口を閉止状態から開放状態に変化させる始動口と、
前記大入賞口の内部に設けられると共に、前記大入賞口の開放状態において入賞した遊技球が通過することに基づいて大当り遊技状態となる特定領域と、を備え、
前記遊技球移送装置は、大入賞口に入賞した遊技球を吸着して前記特定領域に移送可能であることを特徴とする遊技機。
【請求項３】
請求項１に記載の遊技機において、
遊技球が入賞したことに基づいて所定の有利状態を発生させる有利状態発生口を備え、
前記遊技領域を流下する遊技球を取り込むワープ入り口と、
該ワープ入り口から取り込まれた遊技球を誘導するワープルートと、
該ワープルートによって誘導された遊技球が転動するステージ部と、
該ステージ部を転動した遊技球を前記有利状態発生口に向けて流出する流出口と、を具備してなるセンターケースと、を更に備え、
前記遊技球移送装置は、ステージ部を転動する遊技球を吸着して前記流出口に移送可能であることを特徴とする遊技機。
【請求項４】
請求項１乃至請求項３に記載の遊技機において、
前記遮蔽部材を、前記可動部材の所定の動作とは同期しないように駆動または停止させる遮蔽部材駆動手段と、
該遮蔽部材駆動手段を駆動制御する遮蔽部材駆動制御手段と、を備えたことを特徴とする遊技機。
【請求項５】
請求項１乃至請求項４に記載の遊技機において、
異常を検知する異常検知手段と、
該異常検知手段が異常を検知すると異常を報知する報知手段と、を備え、
前記磁石は電磁石であって、
該電磁石への通電又は遮断を制御する電磁石制御手段を更に備え、
該電磁石制御手段は前記異常検知手段が異常であることを検知したとき、電磁石に対して通電状態から遮断状態へ移行して電磁石の吸着力を消失させることを特徴とする遊技機。
【発明の詳細な説明】
【技術分野】
【０００１】
本発明は、遊技球移送装置を備えた遊技機に関するものである。
【背景技術】
【０００２】
従来から遊技機は、旧第２種遊技機の大入賞口に入賞した遊技球を、誘導回転体の表面に設けた磁石に吸着させて特定領域に誘導するようにした技術（例えば、特許文献１参照）がある。
また、前記特許文献１の技術と同様に、旧第２種遊技機の大入賞口に入賞した遊技球の、特定領域への入球を左右する可動役物として、複数の回転体を備え、該複数の回転体は、表面に磁石が装着された第１回転体と、第１回転体の外側に透過性を有しないように形成されることで前記磁石を視認不能に覆い隠すように外挿された第２回転体と、該第２回転体の更に外側に外挿され且つ透過性を有するように形成された第３回転体と、で構成された技術（例えば、特許文献２参照）もある。
【先行技術文献】
【特許文献】
【０００３】
【特許文献１】特開２００３−３８７５６号公報
【特許文献２】特開２００８−２４５６７９号公報
【発明の概要】
【発明が解決しようとする課題】
【０００４】
しかし、特許文献１に記載の技術では、誘導回転体の表面に設けられた磁石が視認可能に構成されていた。このような構成の遊技機では、タイミングを見計らって遊技機を殴打することで、任意の磁石に遊技球を吸着させて、不正に大当りを誘発させて不当な利得を得ようとする不正行為（ゴト、ゴト行為、或いはドツキゴトとも言う）が後を絶たなかった。  
この点、特許文献２に記載の技術では、第１回転体の表面に装着された磁石を第２回転体が視認不能に遮蔽すると共に、両回転体が同期せず全く無関係に動作することが可能な構成となっている。ところが、第２回転体に外挿された第３回転体は、常に第１回転体と同期して回転駆動するように構成されている。これにより、たとえ第２回転体によって磁石の位置が見えなくなっていて、更に両回転体が同期せずに動作したとしても、磁石が第２回転体及び第３回転体を介して遊技球を反復継続して吸着することによって、第３回転体の表面には、第１回転体の磁石に対応した箇所に、繰り返し行われる遊技球の吸着によって、汚れの付着や傷が発生するようになる。このような、磁石が遊技球を繰り返し吸着した痕跡は、不正に大当りを誘発しようとする不正行為者にとっては格好の指標となり、このような指標さえも不正行為者に提供しない遊技機の考案が期待されてきた。
また、遊技球を吸着する磁石を備えた回転体等によって特定領域へ誘導する構成の遊技機においては、誘導される遊技球の態様は、特許文献１及び特許文献２に記載の技術をはじめとして、一様に、回転駆動する回転体の磁石に吸着されて静止したまま、あたかも回転体によって保持され運搬されるように変位する態様となっており、陳腐化された面白みのないものとなっていた。
本願発明は係る課題に鑑みなされたものであり、視認不能に隠蔽して備えた磁石の位置を推測する指標となる痕跡を残すことなく、更に磁石に吸着されて誘導される遊技球の斬新な態様を提供することを目的とする。
【課題を解決するための手段】
【０００５】
上記課題を解決するためになされた本発明の請求項１記載の遊技機は、所定の動作可能な可動部材に設けられた磁石によって遊技領域を流下する遊技球を吸着して、前記可動部材の変位に伴って遊技球を移送する遊技球移送装置を備えた遊技機において、前記遊技球移送装置は、前記可動部材の外側に設けられて前記磁石を外部から視認不能に遮蔽すると共に、該遮蔽した磁石により遊技球を外側面に吸着可能な遮蔽部材を備え、該遮蔽部材は、前記可動部材の所定の動作とは同期しないことを特徴とする。
【０００６】
請求項２に記載の本発明は、請求項１に記載の遊技機において、遊技球が入賞不能な閉止状態と入賞可能な開放状態に変化可能な大入賞口と、遊技球が入賞したことに基づいて所定回数だけ前記大入賞口を閉止状態から開放状態に変化させる始動口と、前記大入賞口の内部に設けられると共に、前記大入賞口の開放状態において入賞した遊技球が通過することに基づいて大当り遊技状態となる特定領域と、を備え、前記遊技球移送装置は、大入賞口に入賞した遊技球を吸着して前記特定領域に移送可能であることを特徴とする。
【０００７】
請求項３に記載の本発明は、請求項１に記載の遊技機において、遊技球が入賞したことに基づいて所定の有利状態を発生させる有利状態発生口を備え、前記遊技領域を流下する遊技球を取り込むワープ入り口と、該ワープ入り口から取り込まれた遊技球を誘導するワープルートと、該ワープルートによって誘導された遊技球が転動するステージ部と、該ステージ部を転動した遊技球を前記有利状態発生口に向けて流出する流出口と、を具備してなるセンターケースと、を更に備え、前記遊技球移送装置は、ステージ部を転動する遊技球を吸着して前記流出口に移送可能であることを特徴とする。
【０００８】
請求項４に記載の本発明は、請求項１乃至請求項３に記載の遊技機において、前記遮蔽部材を、前記可動部材の所定の動作とは同期しないように駆動または停止させる遮蔽部材駆動手段と、該遮蔽部材駆動手段を駆動制御する遮蔽部材駆動制御手段と、を備えたことを特徴とする。
【０００９】
請求項５に記載の本発明は、請求項１乃至請求項４に記載の遊技機において、異常を検知する異常検知手段と、該異常検知手段が異常を検知すると異常を報知する報知手段と、を備え、前記磁石は電磁石であって、該電磁石への通電又は遮断を制御する電磁石制御手段を更に備え、該電磁石制御手段は前記異常検知手段が異常であることを検知したとき、電磁石に対して通電状態から遮断状態へ移行して電磁石の吸着力を消失させることを特徴とする。
【発明の効果】
【００１０】
請求項１に記載の遊技機によれば、遮蔽部材により磁石を外部から視認不能にすることによりドツキゴトの指標を提供しない。また、磁石を備えた可動部材の動作とは同期しないように遮蔽部材を構成したので、遮蔽部材の遊技球が吸着される箇所は常に不定となり、反復継続して行われる吸着によって発生する汚れやキズが、一定の決まった箇所に発生しないようになり、このような指標が磁石の所在位置とは無関係とすることによって、更にドツキゴトの指標を不正行為者に提供しないことで、不正行為を抑止することが可能となる。
【００１１】
また、可動部材の所定の動作とは同期しない遮蔽部材の外側にて遊技球を吸着することにより、保持されて移送される態様ではなく、視覚的に遊技球が自ら転動して移動していくという従来にない斬新な態様を実現出来、興趣の向上を図ることが可能となる。
【００１２】
請求項２に記載の遊技機によれば、遊技球移送装置が遊技球を特定領域に移送可能な構成とするために、ドツキゴトの指標となる情報を一切提供しないことで、不正に発生させた大当たり遊技状態による甚大な被害を未然に防止することが可能となる。
【００１３】
請求項３に記載の遊技機によれば、遊技球移送装置がセンターケースの内部に設けられ、センターケース内に取り込まれた遊技球を遊技領域の有利状態発生口へ向けて流出させる流出口に移送することにより、センターケース内部の遊技球の転動態様に、面白みを増すことが可能となる。
【００１４】
請求項４に記載の遊技機によれば、遮蔽部材駆動制御手段は、遮蔽部材駆動手段によって、磁石を備えた可動部材の動作とは同期しない、すなわち異なる動作を行う又は動作自体を行わないように遮蔽部材を駆動又は停止させるように構成したので、更に磁石の位置の推定を困難にすると共に、多彩な動作態様を実現可能となる。
【００１５】
請求項５に記載の遊技きによれば、異常を検知すると異常発生を報知手段によって報知すると共に、磁石を電磁石で構成する。これによって、前記異常検知に伴い、通電状態から遮断状態に移行して、電磁石の吸着力を消失させることにより、異常検知の起因となったドツキゴトや、磁石によって不正に遊技球を吸引して任意の位置に誘導する不正行為等が発生しても、特定領域や有利状態発生口に遊技球を移送不能であるため、不正行為者に不当な利得を与えず、遊技店の被害を未然に防止することが可能となる。
【図面の簡単な説明】
【００１６】
【図１】本発明に係る実施例１のパチンコ機の遊技盤１の正面図
【図２】本実施例に係るパチンコ機の電気的構成図
【図３】本実施例の遊技球移送装置４０を備えた可変入賞装置２０の概略正面図
【図４】本実施例の可変入賞装置２０に係る構成及び作用を説明する概略説明図
【図５】本実施例の遊技球移送装置４０に係る構成及び作用を説明する概略説明図
【図６】本実施例のカバー体４５の駆動制御について説明するフローチャート
【図７】本実施例のカバー体４５の駆動制御について説明するフローチャート
【図８】本実施例のカバー体４５の駆動制御について説明するフローチャート
【図９】本実施例における磁石の取り付け構成及びカバー体の構成に係る変形例を説明する概略断面図
【図１０】本実施例における磁石の取り付け構成及びカバー体の構成に係る変形例を説明する概略断面図
【図１１】本実施例におけるカバー体の変形例を説明する遊技球移送装置の概略斜視図
【図１２】本実施例におけるカバー体の変形例を説明する概略説明図
【図１３】本発明に係る実施例２のパチンコ機の遊技盤７０１の正面図
【図１４】実施例２の遊技球移送装置７４０の構成及び作用を説明する概略説明図
【発明を実施するための形態】
【００１７】
以下に本発明の好適な実施形態について説明する。なお、本発明の実施の形態は下記の実施例に何ら限定されるものではなく、本発明の技術的範囲に属する種々の形態を採ることができ、各実施例に記載された内容を適宜組み合わせることが可能なことはいうまでもない。
［実施例１］
【００１８】
図１は、本発明に係る実施例１のパチンコ機の遊技盤１の正面図である。図１に示すように、本実施例のパチンコ機（全体的な構成は公知技術に従っているので図示と説明を省略）の遊技盤１には、ガイドレール２、３により略円形の遊技領域４が形成されている。
【００１９】
この遊技領域４のほぼ中央部には、本発明の要部としての遊技球移送装置を備えた入賞装置である可変入賞装置２０が装着されている。可変入賞装置２０は、従来から一般に「羽根もの」とか第２種特別電動役物と呼ばれる入賞装置の一種別である。
可変入賞装置２０は、大入賞口を開閉する開閉部材２１、２２と、該開閉部材２１、２２が開放状態にあるときに入賞した遊技球を内部の特定領域２７に移送する遊技球移送装置４０を具備してなる。大入賞口に入賞した遊技球が特定領域２７を通過すると、大当り遊技状態となる。大当り遊技状態となると、開閉部材２１、２２が駆動することにより大入賞口が閉止状態から開放状態に移行して当該状態を所定時間だけ維持することで入賞を容易とする状態を１ラウンドとして、当該ラウンドを所定のインターバル時間を挟みながら所定回数（例えば１５回）だけ反復継続して行うことで、遊技球の入賞を著しく容易とするように制御される。可変入賞装置２０の構成については後に詳述する。
開閉部材２１、２２は、大入賞口を、図示した起立状態において遊技球の入賞を不能とする閉止状態とし、図示しない傾倒状態において遊技球の入賞を可能とする開放状態に変化可能となるように構成されている。
【００２０】
可変入賞装置２０の左右斜めやや上方には一般入賞口５、５が配置されている。可変入賞装置２０の左右斜め下方には第１羽根作動口６、６が、中央下方には第２羽根作動口７が配置されている。可変入賞装置２０の左右近傍には、風車８、８が設けられ、更に遊技領域４の最下部には、何れの入賞口にも入賞しなかった遊技球が入球するためのアウト口９が設けられている。第１羽根作動口６、６に入賞すると、開閉部材２１、２２が１回だけ所定時間（例えば、０．５秒×１回）開放状態となり、第２羽根作動口７に入賞すると開閉部材２１、２２が２回だけ所定時間（例えば、０．８秒×２回）開放状態となることで大入賞口を開放する。第１羽根作動口６、６及び、第２羽根作動口７は、大入賞口を開放するための始動口（所謂、第２種始動口）である。
次いで、図２を参照して、本実施例の電気的構成について説明する。
【００２１】
図２は、本実施例のパチンコ機の電気的構成図である。パチンコ機の各種電気的作動装置に係る電気的構成は、図示のとおり、主制御装置６０を中心にして構成されている。なお、このブロック図には、単に信号を中継するだけのためのいわゆる中継基板及び電源回路等は記載していない。また、詳細の図示は省略するが、主制御装置６０、払出制御装置６１、演出図柄制御装置６５、サブ統合制御装置６３のいずれもＣＰＵ、ＲＯＭ、ＲＡＭ、入力ポート、出力ポート等を備えているが、本実施例では発射制御装置６２にはＣＰＵ、ＲＯＭ、ＲＡＭは設けられていない。しかし、これに限るわけではなく、発射制御装置６２にＣＰＵ、ＲＯＭ、ＲＡＭ等を設けてもよい。さらに、スイッチは、便宜上、ＳＷと省略して記載する場合がある。
【００２２】
主制御装置６０には、遊技盤１に一対で配設された第１羽根作動口６に入球した遊技球を検出する第１始動口スイッチ６６、第２羽根作動口７に入球した遊技球を検出する第２始動口スイッチ６７、開閉部材２１、２２の開放駆動に伴い開口した大入賞口に入球した遊技球を計数するためのカウントスイッチ６８、一対の一般入賞口５、５に入球した遊技球を検出する左入賞口スイッチ６９、右入賞口スイッチ７０、更に、特定領域２７への通過を検知する特定領域スイッチ７１、振動を検知する振動検知スイッチ７２、磁気を検知する磁気検知スイッチ７３、等の検出信号が、主制御装置６０に入力されるよう構成されている。振動検知スイッチ７２、及び磁気検知スイッチ７３は、本発明の異常検知手段である。
【００２３】
主制御装置６０は搭載しているプログラムに従って動作して、上述の検出信号などに基づいて遊技の進行に関わる各種のコマンドを生成して払出制御装置６１及びサブ統合制御装置６３に出力する。
【００２４】
更に、主制御装置６０は、大入賞口ソレノイド７５を制御することで大入賞口の開閉を制御する。大入賞口ソレノイドの駆動に基づいて、開閉部材２１、２２が開閉駆動を行う。
また、主制御装置６０は、本発明の可動部材としての回転体４１を回転駆動させる回転体モータ４３の回転駆動制御、本発明の遮蔽部材としてのカバー体４５の駆動或いは静止させるカバー体モータ７６の駆動制御、カバー体４５をスライド駆動させるカバー体進退ソレノイド７７の駆動制御、電磁石で構成される磁石４２の磁力の発生又は消去を制御する電磁石制御装置７８の制御、及び、可変入賞装置２０の補助板２６を昇降駆動させる補助板ソレノイド７９の制御、等を行う。
【００２５】
主制御装置６０からの出力信号は試験信号端子（図示しない）にも出力される他、大当り（特別遊技、大当り遊技状態、ともいう）等の管理用の信号が外部接続端子板に出力されてホールコンピュータに送られる。主制御装置６０と払出制御装置６１とは双方向通信が可能に構成されている。
【００２６】
払出制御装置６１は、主制御装置６０から送られてくるコマンドに応じて払出モータを駆動させて賞球を払い出させる。本実施例においては、賞球として払い出される遊技球を計数するための払出スイッチの検出信号は払出制御装置６１に入力され、払出制御装置６１で賞球の計数が行われる構成を用いる。この他にも主制御装置６０と払出制御装置６１に払出スイッチの検出信号が入力され、主制御装置６０と払出制御装置６１の双方で賞球の計数を行う構成を用いることも考えられる。
【００２７】
なお、払出制御装置６１はガラス枠開放スイッチ、内枠開放スイッチ、満杯スイッチ、球切れスイッチからの信号が入力され、満杯スイッチにより下皿（図示しない）が満タンであることを示す信号が入力された場合及び球切れスイッチにより球タンクに遊技球が少ないあるいは無いことを示す信号が入力されると払出モータを停止させ、賞球の払出動作を停止させる。なお、満杯スイッチ、球切れスイッチも、その状態が解消されるまで信号を出力し続ける構成になっており、払出制御装置６１は、その信号が出力されなくなることに起因して払出モータの駆動を再開させる。
【００２８】
また、払出制御装置６１はＣＲユニット端子板を介してＣＲユニット（プリペイドカードユニット）と交信することで払出モータを作動させ、貸し球を排出する。払出された貸し球は払出スイッチに検出され、検出信号は払出制御装置６１に入力される。なお、ＣＲユニット端子板は精算表示装置とも双方向通信可能に接続されており、精算表示装置には、遊技球の貸出しを要求するための球貸スイッチ、精算を要求するための精算スイッチ、残高表示器（図示しない）が接続されている。
【００２９】
また、払出制御装置６１は、外部接続端子板を介して賞球に関する情報、枠（内枠、前枠）の開閉状態を示す情報などをホールコンピュータに送信するほか、発射制御装置６２に対して発射停止信号を送信する。
なお本実施例では遊技球を払い出す構成であるが、入賞等に応じて発生した賞球を払い出さずに記憶する封入式の構成にしても良い。
【００３０】
発射制御装置６２は発射モータを制御して、遊技球を遊技領域４に発射させる。なお、発射制御装置６２には払出制御装置６１以外に発射ハンドル（図示しない）からの回動量信号（図示しない）、タッチスイッチからのタッチ信号、発射停止スイッチからの発射停止信号が入力される。
回動量信号は、遊技者が発射ハンドルを操作することで出力され、タッチ信号は遊技者が発射ハンドルに触ることで出力され、発射停止スイッチ信号は、遊技者が発射停止スイッチを押すことで出力される。なお、タッチ信号が発射制御装置６２に入力されていなければ、遊技球は発射できないほか、発射停止スイッチ信号が入力されているときには、遊技者が発射ハンドルを触っていても遊技球は発射できないようになっている。
【００３１】
サブ統合制御装置６３はサブ制御装置に該当し、主制御装置６０から送信されてくるデータ及びコマンドを受信し、それらを演出表示制御用、音制御用及びランプ制御用のデータに振り分けて、演出表示制御用のコマンド等は演出図柄制御装置６５に送信し、音制御用及びランプ制御用は自身に含まれている各制御部位（音声制御装置及びランプ制御装置としての機能部）に分配する。そして、音声制御装置としての機能部は、音声制御用のデータに基づいて音ＬＳＩを作動させることによってスピーカからの音声出力を制御し、ランプ制御装置としての機能部はランプ制御用のデータに基づいてランプドライバを作動させることによって各種ＬＥＤ、ランプを制御する。  また、サブ統合制御装置６３には、演出ボタンが接続されており、遊技者が演出ボタンを操作した際には、その信号がサブ統合制御装置６３に入力される。さらに、サブ統合制御装置６３には、音量調節スイッチからの信号が入力されることにより、スピーカの音量を調節可能に構成されている。また、図示しないが、サブ統合制御装置６３は、上述した振動検知スイッチ７２、及び磁気検知スイッチ７３によって異常を検知した際に、主制御装置６０から送信されてくる異常状態信号に基づいて、異常状態であることを報知する報知制御手段を備える。報知制御手段は、スピーカ、各種ＬＥＤ、ランプ、演出図柄表示装置７４等を駆動して、異常状態を報知する。
【００３２】
サブ統合制御装置６３と演出図柄制御装置６５とは双方向通信が可能である。
演出図柄制御装置６５は、サブ統合制御装置６３から受信したデータ及びコマンド（共に主制御装置６０から送信されてきたものとサブ統合制御装置６３が生成したものとがある）に基づいて演出図柄表示装置７４を制御して、擬似図柄等の演出画像を演出図柄表示装置７４の画面に表示させる。本実施例では、第１羽根作動口６、６及び、第２羽根作動口７への入賞に基づいて、所定の演出画像や、大当り遊技状態中におけるラウンド数等を演出図柄表示装置７４に表示可能となっている。
次に、図３を参照して、本実施例の遊技球移送装置４０を備えた可変入賞装置２０について説明する。
【００３３】
図３は、本実施例の遊技球移送装置４０を備えた可変入賞装置２０の概略正面図である。
可変入賞装置２０は、遊技領域４に取り付けるための薄板状に形成されてなる取付け基板２０ａを備える。以下に説明する各種構成は、該取付け基板２０ａの前部或いは後部に設けられて一体的に遊技盤４に取り付けされるものである。
可変入賞装置２０の左右上部には、左右一対で構成されて各々本実施例の大入賞口を開閉する開閉部材２１、２２が設けられている。開閉部材２１、２２は、下部を軸支されて回転可能な羽状に構成されている。
可変入賞装置２０の上部且つ開閉部材２１、２２の間隙には、前方視略ドーム状に形成されて、中央に演出図柄表示装置７４を備える構造体が形成されている。図示したように、開閉部材２１、２２の上部は、該構造体に当接することによって、本実施例の大入賞口を遊技球が入賞不能な閉止状態とするようになっており、開閉部材２１、２２の上部が該構造体から離隔することにより大入賞口を遊技球が入賞可能な開放状態とする。
開閉部材２１、２２の夫々やや下方中央側且つ前記構造体の左右直下には、カウントスイッチ６８、６８が設けられている。カウントスイッチ６８、６８は、開閉部材２１、２２の開放駆動によって開放された大入賞口への入賞球を検出する検出手段である。
前記構造体の下面部とカウントスイッチ６８、６８によって、大入賞口への入賞球が流入して集積される流入室２３が形成されている。流入室２３の中央奥側には、流入した遊技球を室外に流出させる流出口２４が開設されている。流出口２４に連通すると共に流出口２４の下方から左右斜め方向に二股に分岐して構成されるワープルート２５を備える。ワープルート２５の下流端部は遊技球移送装置４０の左右直前に向けて開口し（図４参照）、前記流出口２４から流出した遊技球を遊技球移送装置４０の前方に向けて誘導するように構成されている。
ワープルート２５の左右の下流端部の間には、略薄板状に形成されて回転可能に軸支された補助板２６が枢設（図４参照）されている。補助板２６は、図４（ｂ）に示すように水平姿勢を維持することで、ワープルート２５により誘導されてきた遊技球を遊技球移送装置４０によって移送可能な状態で所定時間だけ停留して保持した後、図４（ｃ）に示すように傾斜姿勢に変化して、移送されずに停留していた遊技球を移送不能なように可変入賞装置２０の外部に排出するよう構成されている。
補助板２６について更に説明すると、補助板２６は、前方視左右中央に向かって緩やかな傾斜により山形形状に形成されており、これにより後述する特定領域２７へ遊技球を移送する磁石４２ｅ（図５（ｂ）参照）に吸着困難な作用を為す。また、第１羽根作動口６、６又は第２羽根作動口７への入賞に基づいて大入賞口が開放状態となって、これにより大入賞口への入賞が発生した場合は、所定時間の間だけ遊技球１０を保持可能な水平状態を維持し、所定時間経過によって上述した補助板ソレノイド７９が作動することで傾斜状態に移行して、保持していた遊技球を落下させるように構成されている。
補助板２６の後方には、本発明の要部である遊技球移送装置４０が設けられている。本実施例の遊技球移送装置４０は、可動部材としての回転体４１に設けられた電磁石で構成される磁石４２により遊技球を吸着して、後述する特定領域２７、一般領域２８、２９に移送する。遊技球移送装置４０については後に詳述する。
遊技球移送装置４０の後方には、中央に特定領域２７、該特定領域２７の左方には一般領域２８、右方には一般領域２９が開設されている。特定領域２７は、遊技球が通過することにより、大当り遊技状態が発生する契機となる構成であり、一般領域２８、２９に遊技球が通過しても大当り遊技状態は発生しないように構成されている。図４に示すように、特定領域２７、一般領域２８、２９は、上方に向かって開口して設けられ、特定領域２７の左方には仕切り板部３０を介して一般領域２８が、同じく右方には仕切り板部３１を介して一般領域２９が設けられる。特定領域２７には、通過した遊技球を検知する特定領域スイッチ７１が備えられている。
次に図４及び図５を参照して、本実施例の遊技球移送装置４０の構成について説明する。
【００３４】
図４は、本実施例の可変入賞装置２０に係る構成及び作用を説明する概略説明図である。また、図５は、本実施例の遊技球移送装置４０に係る構成及び作用を説明する概略説明図である。
図５に示すように、本実施例の遊技球移送装置４０は、横長円柱状に形成され側面部の所定箇所に計５箇所の磁石４２が配設されてなる本発明の可動部材としての回転体４１と、該回転体４１に外挿可能な略筒状に形成されて、外部から磁石４２を視認不能に構成される本発明の遮蔽部材としてのカバー体４５を備える。
磁石４２は、カバー体４５によって外部からその位置が視認不能に遮蔽された状態であっても、カバー体４５を介して遊技球１０（図４（ｂ）参照）を吸着可能に構成されている。つまり、遊技球１０は、カバー体４５により遮蔽された磁石４２の吸着力によって、カバー体４５の磁石４２とは反対側すなわち外側に吸着可能に構成されている。
【００３５】
また、遊技球移送装置４０は、回転体４１を図示Ａ方向（時計回り方向）に所定の回転駆動態様で回転させる回転体モータ４３を備える。本実施例の該回転体モータ４５は、回転体４１を図示Ａ方向に向けて、単位時間当たり一定の回転角度となる回転速度を維持して作動可能とする構成である。
【００３６】
また、カバー体４５を、回転体４３の前記所定の回転駆動態様とは同期しない、すなわち図示Ｂ方向（反時計回り方向）に所定の回転駆動態様で回転させる又は、静止（停止）させることが可能な図示しないカバー体モータ７６（図２参照）を備える。カバー体モータ７６は、本発明の遮蔽部材駆動手段である。
また更に、カバー体４５を、回転体４３の前記所定の回転駆動態様とは同期しない、すなわち図示Ｃ方向（左右方向）に所定の揺動（スライド）態様で揺動させる又は、静止（停止）させることが可能な図示しないカバー体進退ソレノイド７７（図２参照）を備える。カバー体進退ソレノイド７７も、本発明の遮蔽部材駆動手段を構成している。また、図４（ａ）には、回転体モータ４３及びカバー体モータ７６に連結される夫々の回転駆動軸の一部のみを図示した。
なお、本実施例では、図示しないカバー体モータ７６が搭載されるマウント部材自体をカバー体進退ソレノイド７７が揺動させる構成としているが、他の構成であっても良い。
【００３７】
ここで、本発明の遮蔽部材について、上述した説明に加えて説明する。
本発明の遮蔽部材としてのカバー体４５は、可動部材としての回転体４１の所定の動作、すなわち図５（ａ）に示したＡ方向の回転駆動とは同期しないように構成されるものである。この点、当該同期しない動作とは、回転体４１の回転駆動と、同方向、且つ、単位時間当たりの回転角度が同じ、となる動作以外の動作である。したがって、同方向であっても単位時間当たりの回転角度が異なる場合や、異なる方向すなわち回転方向と直交する方向等へ動作する場合、更に、静止している場合、であっても、同期しない動作に該当する。上述した説明では、カバー体４５が図示Ｂ方向（反時計回り方向）に所定の回転駆動態様で回転又は、静止（停止）する構成を説明したが、上記した条件を満たすのであれば、Ｂ方向とは逆のＡ方向に回転する場合であっても良い。
同期した動作であった場合、その作用として、吸着された遊技球１０は、カバー体４５の外側表面の所定の位置に吸着されて静止したまま移送される状態となる。しかし、同期しない動作であった場合、吸着された遊技球１０は、カバー体４５の外側表面に吸着されながら該外側表面を転動する状態となる。
【００３８】
本実施例の磁石４２は、配設位置の異なる４２ａ、４２ｂ、４２ｃ、４２ｄ、及び４２ｅで構成される。図５（ｂ）を参照して、磁石４２の配設位置の違いによって為す作用の違いを説明する。図示した縦長の矩形状は図４（ａ）に示した遊技球移送装置４０の回転体４１の側面部を縦方向に展開した概略説明図である。
回転体４１の回転動作に伴って、左側上部に位置する磁石４２ａ及び右側下部に位置する磁石４２ｄは夫々、吸着した遊技球１０を、一般領域２８及び２９に移送する。また、中央下部に位置する磁石４２ｅは、吸着した遊技球１０を、特定領域２７に移送する。更に、やや左側中央部に位置する磁石４２ｃは、吸着した遊技球１０を、仕切り板部３０の上部に移送し、移送された遊技球１０は特定領域２７又は一般領域２８の何れかに振り分けられる。また、やや右側且つやや上部に位置する磁石４２ｂは、吸着した遊技球１０を、仕切り板部３１の上部に移送し、移送された遊技球１０は特定領域２７又は一般領域２９の何れかに振り分けられるように構成されている。
次いで、本実施例のカバー体４５の駆動制御について、図６乃至図８を参照して説明する。
【００３９】
図６乃至図８は、本実施例のカバー体４５の駆動制御について説明するフローチャートである。
図６を参照してカバー体作動制御処理について説明する。以下の制御は、本実施例のパチンコ機において、所定時間（例えば２ｍｓ）毎に実行される割り込み制御にて行われるものである。また、当該カバー体作動制御処理は、本発明の遮蔽部材駆動制御手段である。
先ず、Ｓ１０において今回の割り込み処理が電源投入時に実行されたものであるか否かを判定し、電源投入時であれば（Ｓ１０：Ｙｅｓ）、停止フラグを立てて（ＯＮする）、カバー体作動制御処理を終了する。停止フラグは、カバー体４５の作動状態を、停止（静止）状態に維持するためのフラグであり、これによりカバー体４５の作動態様を回転体４１とは同期しない作動とするように構成されている。
Ｓ１０の判定で電源投入時でなければ（Ｓ１０：Ｎｏ）、Ｓ１１で停止フラグがＯＮしているか否かを判定する。停止フラグがＯＮしていると判断された場合（Ｓ１１：Ｙｅｓ）、Ｓ１２で停止時間を割り込み処理毎に累積するための停止時間カウンタをカウントアップする。次に、Ｓ１３にて当該カウントアップした停止時間カウンタの値が所定値（例えば３秒）となったか否かを判定する。停止時間カウンタ値が未だ所定値となっていないと判断された場合（Ｓ１３：Ｎｏ）、すなわちカバー体４５を停止した状態で維持する期間中であると判断して、Ｓ１４の停止処理を実行した後で、カバー体作動制御処理を終了する。
Ｓ１３にて停止時間カウンタ値が所定値となったと判断された場合（Ｓ１３：Ｙｅｓ）、Ｓ１６にて停止フラグをＯＦＦし、次いでＳ１７にて逆回転フラグをＯＮした後で、カバー体作動制御処理を終了する。逆回転フラグは、カバー体４５の作動状態を、回転体４１の回転方向とは逆方向にするためのフラグであり、これによりカバー体４５の作動態様を回転体４１とは同期しない作動とするように構成されている。
【００４０】
Ｓ１１にて停止フラグがＯＮではないと判断された場合（Ｓ１１：Ｎｏ）、図７に示すＳ１８において、逆回転フラグがＯＮ状態であるか否かを判定する。逆回転フラグがＯＮしていると判断された場合（Ｓ１８：Ｙｅｓ）、Ｓ１９で逆回転時間を割り込み処理毎に累積するための逆回転時間カウンタをカウントアップする。次に、Ｓ２０にて当該カウントアップした逆回転時間カウンタの値が所定値（例えば３秒）となったか否かを判定する。逆回転時間カウンタ値が未だ所定値となっていないと判断された場合（Ｓ２０：Ｎｏ）、すなわちカバー体４５を回転体４１とは逆方向に回転駆動する期間中であると判断して、Ｓ２１の逆回転処理を実行した後で、カバー体作動制御処理を終了する。
Ｓ２０にて逆回転時間カウンタ値が所定値となったと判断された場合（Ｓ２０：Ｙｅｓ）、Ｓ２２にて逆回転フラグをＯＦＦした後で、カバー体作動制御処理を終了する。
【００４１】
Ｓ１８にて逆回転フラグがＯＮ状態ではないと判断された場合（Ｓ１８：Ｎｏ）、図８に示すＳ２３において、スライド時間を割り込み処理毎に累積するためのスライド時間カウンタをカウントアップする。次に、Ｓ２４にて当該カウントアップしたスライド時間カウンタの値が所定値（例えば３秒）となったか否かを判定する。スライド時間カウンタ値が未だ所定値となっていないと判断された場合（Ｓ２４：Ｎｏ）、すなわちカバー体４５を図５（ａ）に図示した左右方向（Ｃ方向）への反復継続するスライド駆動を実行する期間中であると判断して、Ｓ２５のスライド処理を実行した後で、カバー体作動制御処理を終了する。本実施例において停止フラグ及び逆回転フラグが共にＯＦＦ状態であるということは、カバー体４５をスライド作動させる状態であることを示唆し、これによりカバー体４５の作動態様を、回転体４１の作動とは同期しない作動とするように構成されている。
Ｓ２４にてスライド時間カウンタ値が所定値となったと判断された場合（Ｓ２４：Ｙｅｓ）、Ｓ２６にて停止フラグをＯＮした後で、カバー体作動制御処理を終了する。
このように本実施例では、カバー体４５の作動態様を電源投入時から所定時間毎に、停止態様、逆回転態様、スライド態様の順に移行させ、スライド態様が終了したら停止態様に復帰して当該ループを反復継続するように構成されている。したがって、いずれの状態においても、カバー体４５の作動態様は、回転体４１の作動態様に同期しないようになっている。
なお、停止態様、逆回転態様、スライド態様を上記した順序で実行することに限定する必要は無い。順序を入れ替えても良い。また、全てを実行する必要はなく、何れか１つの態様を実行するものであっても良い。このようにしたとしても、本発明の、磁石の位置を推知する情報であるところの磁石に対応した一定の箇所に汚れやキズを発生させることを回避することが可能となる。
【００４２】
本実施例の遊技球移送装置４０を備えたパチンコ機は、以上説明したような構成を備えるものであるが、次にパチンコ機の遊技の流れを説明しつつ、本発明の要部に係る作用効果等を説明する。
本実施例のパチンコ機は、電源投入されると、回転体４１が時計回り方向（図５参照）に所定の回転速度で回転作動を開始する。また、同時にカバー体４５が、停止状態から、逆回転状態、及びスライド状態を所定時間毎に順次移行変化しながら反復継続して作動することで、回転体４１の作動とは同期しない作動を実現している。（図６乃至図８参照）
当該状態において、図示しない発射ハンドルを操作することで遊技球１０が遊技領域４に発射され、第１羽根作動口６、６又は第２羽根作動口７に入賞すると、大入賞口を閉止状態に維持している開閉部材２１、２２が、上述した所定時間及び所定回数だけ開放駆動して、開放状態に移行する。
大入賞口が開放状態にあるときに、遊技球１０が入賞すると、遊技球１０はカウントスイッチ６８に検出されて、流入室２３から流出口２４、及びワープルート２５を経由した後、遊技球移送装置４０の直前方の補助板２６上に送出されて転動する。補助板２６上を転動しながら支持される遊技球１０は、所定時間経過後には補助板２６が水平状態から傾倒状態に変化することで支持状態が解消され機裏に排出される。
【００４３】
補助板２６に支持されつつ転動する遊技球１０は、所定の作動態様によって作動する回転体４１の側面部に配設された磁石４２ａ乃至磁石４２ｅのうちの何れかによって、カバー体４５の外側面部に吸着される可能性を有する。この際、回転体４１の磁石４２ａ乃至磁石４２ｅがどの位置にあるか、どのようなタイミングで遊技球１０を吸着可能な位置に到着するかは、カバー体４５が視認不能に遮蔽しているために遊技者には判断不能となっている。このため、本実施例の構成を採用することによって、従来から発生してきた、パチンコ機を殴打することによって振動を与えて、該振動によって遊技球を任意の磁石に向かって変位させて吸着せしめ、不正に大当りを誘引するといった不正行為（ドツキゴト）を不能とすることが可能となっている。
【００４４】
補助板２６に支持されつつ転動する遊技球１０が、タイミング好く磁石４２ａ乃至磁石４２ｅのうちの何れかの吸着力によってカバー体４５の外側面部に吸引された場合、遊技球１０が吸着されるカバー体４５の位置は、同じ磁石４２に吸着されたとしても、常に同じ位置とはならないようになっている。これは、磁石４２を備えた回転体４１の作動とは同期しないようにカバー体４５が作動していることによる作用である。これにより、本実施例では、停止状態、逆回転状態、スライド状態に移行することで、吸着時に発生するカバー体上のキズや汚れの付着が仮に発生したとしても、これを指標としてパチンコ機を殴打して遊技球を任意の磁石４２に吸着させる不正行為を行うことは不可能になっている。また、吸着時に発生するカバー体上のキズや汚れの付着は、反復継続して発生することによって累積した場合、カバー体４５の側面部には５個の磁石毎に円環状の痕跡として残る可能性はあるが、このように領域として痕跡が残存してしまうことで、更にドツキゴトの指標とはならなくなり、不正行為の防止に資する。
【００４５】
更にこの際、異常検知手段としての振動検知スイッチ７２又は、磁気検知スイッチ７３によって、振動や磁気を検知した場合は、上述したように、スピーカ、各種ＬＥＤ、ランプ、演出図柄表示装置７４等を駆動して、異常状態を報知すると共に、電磁石制御装置７８が磁石４２に対して、通電状態から遮断状態へ所定時間（例えば５分間）の間、移行制御することにより、磁石４２の吸着力を消失して吸着を不能とすることで、不正なドツキ行為による大当り遊技状態の誘引を防止するように構成されている。
なお、上述した異常状態の発生時に電磁石制御装置７８によって電磁石の吸着力を消失させる一連の制御処理は、本発明の電磁石制御手段である。
【００４６】
カバー体４５の外側面部に吸着された遊技球１０は、回転体４１の回転作動に伴って移送され、特定領域２７、一般領域２８、２９の何れかの領域に振り分けられ、上述したように、特定領域２７を通過した場合は大当り遊技状態へ移行し、一般領域２８、２９を通過した場合は、大当り遊技状態は発生しない。
【００４７】
ここで、回転体４１の回転作動に伴って移送される際の遊技球１０の被移送態様について説明する。
繰り返しになるが、遊技球１０は、磁石４２の吸着力によって、カバー体４５の外側面部に吸着される。磁石４２を備えた回転体４１の回転作動に対して、遊技球１０が接しているカバー体４５は同期しない作動態様に駆動制御されていることから、磁石４２の変位に伴って、該変位方向に徐々に吸引され、遊技球１０が球体で形成されているために、カバー体４５の外側面部を転がりながら特定領域２７、或いは一般領域２８、２９に移送されることになる。磁石４２が視認不能に遮蔽されていること、遊技球１０がカバー体４５上で静止せずに転動しながら特定領域２７、或いは一般領域２８、２９に変位すること、等から、従来の変位する部材上に静止したまま移送される遊技球の態様とは全く異なる、あたかも自らの意思で転動していくかの如き変位態様となり、斬新な被移送態様を実現可能となっている。
【００４８】
更に、本実施例のカバー体４５は、停止状態、逆回転状態、及びスライド状態に駆動制御されるものであるが、それぞれの状態における遊技球１０の被移送態様について説明する。
先ず、カバー体４５が停止状態に制御されているとき、遊技球１０は停止しているカバー体４５の外面部上を上方に向かって転動して移送される。吸着している磁石４２が視認不能であり、接しているカバー体４５が静止している状態で、遊技球１０が転動していく態様は、遊技者に今までに無い不安感及び期待感等を与えることが可能となる。
【００４９】
次いで、逆回転状態に制御されているとき、遊技球１０の転動方向とは逆方向にカバー体４５が変位することによって、視覚的に上述した停止状態における転動速度よりも速い速度で転動しているような印象を遊技者に与えることが可能である。これにより、更に遊技者に不安感を与え、興趣が向上する。また、カバー体４５を磁石４２が視認不能な構成としつつ、外側面部に遊技球１０の変位を認識容易とする彩色や模様等を施すことで、当該効果を更に奏することが可能となる。
【００５０】
次に、スライド状態に制御されているとき、遊技球１０の転動方向に対して直交する方向にカバー体４５が変位することによって、視覚的に遊技球１０がカバー体４５の外面部上を斜め上方に向かって転動するような印象を遊技者に与えることが可能となる。更に、スライドを左右に反復継続することで、左右上方に向かってジグザグに転動するような印象を遊技者に与えることも可能となる。
【００５１】
また、本実施例では採用していないが、上述したように、所定時間当たりの回転角度が異なるのであれば、回転体４１と同方向にカバー体４５が回転する構成としても良い。例えば、カバー体４５が、回転体４１の所定時間当たりの回転角度よりも小さい回転角度に制御されるようにしても良い。このように構成することにより、視覚的には、上述した停止状態よりも遅い速度でカバー体４５の外側面部を上昇変位するような印象を遊技者に与えることが出来る。
また例えば、カバー体４５が、回転体４１の所定時間当たりの回転角度よりも大きい回転角度に制御されるようにしても良い。このように構成することにより、視覚的には、カバー体４５の外側面部を下降変位するような印象を遊技者に与えることが出来、今にも落下してしまうのではないかという不安感及び期待感を惹起可能となる。
このように、本実施例によって、不正行為に及ぼうとするゴト師に対して、ドツキ行為の指標となる一切の情報を提供することが防止出来る。これと共に、従来にない斬新な遊技球の被移送態様を実現可能となり興趣の著しい向上が期待出来る。
［変形例］
【００５２】
次に、上述した実施例１における、本発明の遊技球移送装置の変形例について、図９乃至図１２を参照して説明する。
図９及び図１０は、本実施例における磁石の取り付け構成及びカバー体の構成に係る変形例を説明する概略断面図である。図１１は、本実施例におけるカバー体の変形例を説明する遊技球移送装置の概略斜視図である。図１２は、本実施例におけるカバー体の変形例を説明する概略説明図である。
【００５３】
図９（ａ）には、上述した実施例１の磁石４２を側面部に備えてなる円柱状の回転体４１と、該回転体４１に外挿される筒状のカバー体４５の側面視した構成を示した。当該構成では、回転体４１の側面部に磁石４２の下部が埋設され、上部がカバー体４５の内周面に近接するように構成されている。
これに対して、図９（ｂ）には変形例１として、磁石１４２を回転体１４１の側面部に完全に埋没して設ける構成とした。このように構成することによって、回転体１４１とカバー体１４５との嵌め合い間隙を小さくすることが可能となり、磁石１４２の吸着力が容易に遊技球１０に及ぶようにすることが可能となる。すなわち、磁石１４２によってカバー体１４５を介在して遊技球をより確実に吸着できる。当該変形例１では、磁石が突出していた状態では回転体とカバー体の軸のブレなどから磁石がカバー体の内周面に引っ掛かってしまうために、安易に嵌め合いをきつくすることが困難な状態を、解消することが出来る。図９（ｃ）は、図９（ｂ）の破線で囲んだ部分を図示Ａ視方向から視た状態を示す概略断面図である。以下の変形例も、同様に当該方向から視た場合の概略断面図を示すことで説明する。
【００５４】
図１０（ａ）に示した変形例２は、鉄等の強磁性体で形成されて上方に開口してなる所謂ヨーク２４６の内側底面部に、磁石２４２を取り付け、該ヨーク２４６を、回転体２４１の側面部に埋設した構成を採用した。このように構成することにより、磁石２４２の磁力（吸着力）をより強くすることが可能となり、カバー体２４５を介在しても遊技球１０を確実に吸着可能となる。
【００５５】
図１０（ｂ）に示した変形例３は、上記した変形例２の磁石及びヨークをカバー体の内周面部方向に突出して設けた構成である。つまり、磁石３４２を取り付けられたヨーク３４６は、回転体３４１の側面部にその一部が埋設され、他の部分がカバー体３４５の内周面部方向に突出して設けられる。更に、カバー体３４５の内周面部は、回転体３４１及びカバー体３４５の各々の作動によっても、磁石３４２及びヨーク３４６が干渉しないように、内側溝部が条設された構成を採用した。このように構成することにより、磁石３４２の磁力（吸着力）が遊技球１０に及び易くなり、確実に吸着可能となる。
【００５６】
図１０（ｃ）に示した変形例４は、上記した変形例３の構成に付加して、カバー体４４５の外側面部の磁石４４２に対応する線上に外側溝部４４８を条設した構成である。これにより、移送される遊技球１０が移送される軌道に対して左右にふら付き難くなり、より確実に移送を可能とする。また、外側溝部４４８を備えることで、カバー体４４５の肉厚が更に薄く形成されることとなり、磁石４４２の磁力（吸着力）が遊技球１０に及び易くなり、確実に吸着可能となる。
【００５７】
図１０（ｄ）に示した変形例５は、上記した変形例４の構成に付加して、外側溝部５４８の断面形状を図示したように遊技球１０の表面の曲率に合致するように構成したものである。このように構成することにより、変形例４の効果に加えて、次のような効果も奏することとなる。つまり、上述した実施例及び他の変形例では、遊技球１０とカバー体との接触態様は点当たりとなっていたが、変形例５の構成を採用することにより、線接触を実現することが可能となる。したがって、移送される遊技球１０の安定性は格段に向上し、カバー体５４５を介在して吸着し移送されても、悪意の無い遊技者による不慮の振動が発生したとしても、吸着状態が容易には解消されず、遊技者とホールとの間のトラブルの発生も防止することが可能となる。
【００５８】
なお、変形例４、及び５にて説明した外側溝部は、予め定められた移送軌道から遊技球が離脱して磁石の吸着力の及ばない状態とならないように、該溝部によって移送される遊技球を支持する移送遊技球支持手段を構成する。このような移送遊技球支持手段を備えることで、遮蔽部材によって遮蔽されて磁力の及び難くなった磁石であっても、遊技球を安定して予定された軌道に従って移送可能となる。
【００５９】
また、図１０に示す各変形例では、上述したスライド状態に制御されない場合に対応した構成を示した。スライド状態に対応させる場合には、スライドの変位量に対応して、内側溝部及び外側溝部の溝幅を拡幅すれば良い。この場合、変形例４、及び５の外側溝部が拡幅されると、移送中の遊技球が比較的充分に支持される状態と、支持が不十分な状態が発生可能となる。このように構成することで、遊技者に安心感と緊迫感を交互に与えることが可能となり、遊技の興趣が向上する。
【００６０】
図１１及び図１２には、図１０（ｂ）乃至図１０（ｄ）に示した変形例３乃至５のカバー体の変形例として、他の好適な構成を備えた遊技球移送装置６４０を示した。変形例３乃至５では、筒状のカバー体の内周面部に内側溝部を形成する構成としたが、磁石が視認不能且つ遊技球を吸着可能な構成であれば、図１１に示すように回転体６４１の側面部の上方及び前方を覆う、略断面円弧状の曲板で構成（図１２参照）しても良い。このようにカバー体６４５の内周面部が外部に対して開いた構成とすることにより、５個の磁石６４２に夫々対応して、これらと干渉しないように５箇所の内側溝部６４７を条設することが容易となる。
【００６１】
以上のように、実施例１及び変形例を説明してきたが、不正な行為を行おうとする者に対して、一切の指標を提供しないという目的からすると、可動部材としての回転体の端面部も可能な限り視認不能に遮蔽する構成が望ましい。端面部の、製造や組み付け工程中に付着したゴミやキズなどが、磁石の位置を推知する指標となる可能性も完全に無くすことが可能となる。
【００６２】
また、本実施例では、本発明の磁石を電磁石として構成した場合を説明したが、これに限らず、永久磁石で構成しても良い。そのように構成することによっても、不正行為者に対して不正行為の指標を与えない、また、遊技球の斬新な被移送態様を実現する、といった効果は奏する。
［実施例２］
【００６３】
次に、本発明に係る他の実施例として、実施例２を図１３及び図１４を参照して説明する。図１３は、本発明に係る実施例２のパチンコ機の遊技盤７０１の正面図であり、図１４は、実施例２の遊技球移送装置７４０の構成及び作用を説明する概略説明図である。
先ず、図１３に示すように本実施例では、本発明の要部である遊技球移送装置７４０は、センターケース７０５の内部に設けられている。なお、以下の説明では、要部に係る構成及び作用効果のみを説明するものとし、他の構成については便宜上、割愛する。
【００６４】
遊技盤７０１は、略円形状に形成されて発射された遊技球が流下する遊技領域７０４の略中央位置に、センターケース７０５を備える。センターケース７０５は、左側面部に遊技領域７０４に向けて開設して遊技領域７０４を流下する遊技球１０を取り込み可能なワープ入り口７０６を備える。
センターケース７０５の左側部は内部に前記ワープ入り口７０６と連通して形成され、ワープ入り口７０６に取り込まれた遊技球１０を誘導するワープルート７１２が上下方向に設けられている。ワープルート７１２の下端部（末端部）は、誘導した遊技球１０を送出可能に開口して設けられており、開口部はステージ部７０７の左端部に対向して構成されている。
ステージ部７０７は、ワープルート７１２の下端部から送出された遊技球１０が揺動可能であって、且つセンターケース７０５の下部に左右方向横長に形成されてなる。
ステージ部７０７の横方向中央からやや右側のやや上方には、本発明の要部を構成する遊技球移送装置７４０が設けられている。遊技球移送装置７４０は、ステージ部７０７を転動する遊技球１０を吸着して移送可能となっている。遊技球移送装置７４０の右方には（図１４参照）、遊技球移送装置７４０により移送されてきた遊技球１０を遊技球移送装置７４０から剥離して後方の流入口７０８に向けて誘導する誘導樋部７１０が設けられている。
流入口７０８の直下には、流入口７０８に流入した遊技球１０を遊技領域７０４に向けて流出させる流出口７０９が開設されている。そして、流出口７０９の直下には、流出口７０９から流出してきた遊技球１０が高い確率で入賞可能な始動入賞口７１１が設けられている。始動入賞口７１１への入賞を起因として、大当り遊技状態等の遊技者にとって有利な状態が発生可能となっている。始動入賞口７１１は、本発明の有利状態発生口を構成する。
本実施例では、誘導樋部７１０によって剥離された遊技球１０は、流入口７０８を介して流出口７０９から流出する構成となっているので、遊技球移送装置７４０は、流入口７０８を介して流出口７０９に移送可能となっている。
【００６５】
本実施例の遊技球移送装置７４０の構成について説明する。本実施例の遊技球移送装置７４０も、図示しない磁石を備えた回転体と、該回転体の外側に磁石の所在を視認不能に遮蔽するカバー体を、少なくとも備える。カバー体は、回転体の作動とは同期しないように構成されている。図１４に図示した矢印は、遊技球移送装置７４０の構成要素である図示しない回転体の回転方向を示した。したがって、磁石により吸着された遊技球１０は、図示矢印の方向に回転移送される。
ワープ入り口７０６に取り込まれた遊技球１０が、ワープルート７１２を介して、タイミング好くステージ部７０７を転動してくると、遊技球移送装置７４０の磁石に吸着されて回転移送される。吸着されない場合は、前方に落下して、遊技領域７０４の始動入賞口７１１への入賞の可能性の低い領域に送出される。
【００６６】
このように構成される本実施例の遊技球移送装置７４０は、ステージ部７０７を転動してきた遊技球１０を、タイミング好く吸着出来れば、有利状態発生口としての始動入賞口７１１への入賞率の高い流出口７０９に移送する。磁石が視認不能に遮蔽されていること、更に回転体の作動と同期しないようにカバー体が構成されることにより、不正行為の指標となる情報を不正行為者に提供しない。本発明の遊技球移送装置を、このようにセンターケースの内部の始動入賞口への誘導装置として採用した場合であっても、特異な効果を奏する。
また、移送される遊技球の被移送態様に関しても、同様に斬新な態様となり、興趣の向上に資する。
なお、本実施例では、遊技球移送装置７４０を１つ設けたものを説明したが、複数備えたものであっても良い。また、有利状態発生口として始動入賞口７１１を備えたものを説明したが、何らかの遊技者にとって有利な状態を発生させる可能性のある入球口或いは通過口であれば、それも本発明の有利状態発生口である。
【００６７】
以上、本発明に係る実施例を説明してきたが、本発明の技術思想を逸脱しない限り、これに限定するものではない。
例えば、本発明の可動部材及び磁石として、上述した各実施例では、略円柱状に形成された回転体の外側面部に設けられた磁石を例示したが、これに限らない。回転体の代わりに無端ベルト状の構成であって、この表面部に磁石を備えたものであっても良い。該無端ベルト状の構成を少なくとも２個の軸によって支持し、これを所定の作動態様によって作動するように構成した上で、磁石の位置を視認不能な遮蔽部材を備えて該遮蔽部材が前記所定の作動態様と同期しないような構成であれば良い。このように構成することにより、遊技球の移送軌道を一定の曲率の曲線軌道に限ることなく、直線軌道も備えることが可能となり、多様な設計にも柔軟に対応可能となる。さらに、曲線軌道では回転するにしたがって吸着された遊技球の安定性は時々刻々変化するが、直線軌道では一定である。したがって、移送の軌道が全て曲線軌道で構成される場合に比較して、一部でも直線軌道を備えることにより、遊技球を安定して吸着する設計が容易となるという効果も奏する。
また、上述した実施例における遮蔽部材について、磁石を視認不能とする構成であれば樹脂等で形成されても問題ない。但し、磁石は当該遮蔽部材を介して遊技球を吸着するので、より確実に吸着可能な素材や構成が望ましい。例えば、遊技球が吸着されて移送される軌道に該当する遮蔽部材の部分或いは全てを、磁石の吸着力が及び易いように強磁性体等で構成しても良い。このようにしても、不正行為の指標となる痕跡を残すことなく、また、遊技球の特異な被移送態様を実現しつつ、遊技球をより確実に移送可能となる。
また、可動部材及び遮蔽部材を作動するための駆動手段として、上述した実施例に示したものに限定しない。各種モータや、各種ソレノイド等、をはじめ、様々なアクチュエータの中から好適なものが選択されれば良い。可動部材と遮蔽部材の相互の作動が同期しない状態を実現する点で、また、遊技球を安定して移送する点で、更に移送される遊技球の態様をより斬新なものにする点で、その都度好適な選択を行えば良い。
【符号の説明】
【００６８】
２７：  特定領域
４０：  遊技球移送装置
４１：  回転体（可動部材）
４２：  磁石
４２ａ〜４２ｅ：  磁石
４５：  カバー体（遮蔽部材）
７２：  振動検知スイッチ（異常検知手段）
７３：  磁気検知スイッチ（異常検知手段）
７６：  カバー体モータ（遮蔽部材駆動手段）
７７：  カバー体進退ソレノイド（遮蔽部材駆動手段）
７８：  電磁石制御装置
１４１：  回転体（可動部材）
１４２：  磁石
１４５：  カバー体（遮蔽部材）
２４１：  回転体（可動部材）
２４２：  磁石
２４５：  カバー体（遮蔽部材）
２４６：  ヨーク
３４１：  回転体（可動部材）
３４２：  磁石
３４５：  カバー体（遮蔽部材）
３４６：  ヨーク
３４７：  内側溝部
４４１：  回転体（可動部材）
４４２：  磁石
４４５：  カバー体（遮蔽部材）
４４６：  ヨーク
４４７：  内側溝部
４４８：  外側溝部
５４１：  回転体（可動部材）
５４２：  磁石
５４５：  カバー体（遮蔽部材）
５４６：  ヨーク
５４７：  内側溝部
５４８：  外側溝部
６４０：  遊技球移送装置
６４１：  回転体（可動部材）
６４２：  磁石
６４５：  カバー体（遮蔽部材）
６４７：  内側溝部
７１１：  始動入賞口（有利状態発生口）
７４０：  遊技球移送装置
【図１】
2012231890.tif 000003
【図２】
2012231890.tif 000004
【図３】
2012231890.tif 000005
【図４】
2012231890.tif 000006
【図５】
2012231890.tif 000007
【図６】
2012231890.tif 000008
【図７】
2012231890.tif 000009
【図８】
2012231890.tif 000010
【図９】
2012231890.tif 000011
【図１０】
2012231890.tif 000012
【図１１】
2012231890.tif 000013
【図１２】
2012231890.tif 000014
【図１３】
2012231890.tif 000015
【図１４】
2012231890.tif 000016